(57)【要約】【課題】柔軟性を有する材料で構成されたリング部材の捲れを防止することができる低コストな回転操作ノブ及び当該回転操作ノブを備えた電子機器を提供する。【解決手段】  回転操作ノブ１はノブ本体１２とリング部材１３を備えている。ノブ本体１２は硬質な材料で構成されかつロータリースイッチ１０の回転軸１１に取り付けられる小径筒部１５と小径筒部１５に連なりかつ当該小径筒部１５を収容した円筒状の第１円筒部１７と第１円筒部１７に連なりかつ当該第１円筒部１７よりも大径な第２円筒部１８とを備えている。リング部材１３は柔軟性を有する材料で構成されかつ第１円筒部１７の外周に取り付けられる。第２円筒部１８の端面１８ａに凸部１９が設けられかつリング部材１３の端面２２ｂに凸部１９が侵入する穴２４が設けられている。【選択図】図３
2011090951.tif 000002
【特許請求の範囲】
【請求項１】
硬質な材料で構成されかつロータリースイッチの回転軸に取り付けられる被取付部と、前記被取付部に連なりかつ当該被取付部を収容した第１円筒部と、前記第１円筒部に連なりかつ当該第１円筒部よりも大径な第２円筒部とを備えたノブ本体と、
柔軟性を有する材料で構成されかつ前記第１円筒部の外周に取り付けられるリング部材と、を備えた回転操作ノブにおいて、
前記リング部材の端面と、この端面が重なる前記第２円筒部の端面とのうち一方に他方に向かって凸の凸部が設けられ、かつ他方に前記凸部が侵入する穴が設けられていることを特徴とする回転操作ノブ。
【請求項２】
前記凸部と前記穴は、前記ノブ本体と前記リング部材の周方向に沿って互いに間隔をあけて複数設けられていることを特徴とする請求項１記載の回転操作ノブ。
【請求項３】
前記リング部材の内周面と、この内周面が重なる前記第１円筒部の外周面とのうち一方に前記ノブ本体の軸芯に沿って延在したリブが設けられ、かつ他方に前記リブが侵入する凹溝が設けられていることを特徴とする請求項１又は請求項２記載の回転操作ノブ。
【請求項４】
前記リブと前記凹溝は、前記ノブ本体と前記リング部材の周方向に沿って互いに間隔をあけて複数設けられていることを特徴とする請求項３記載の回転操作ノブ。
【請求項５】
前記リブは前記リング部材の内周面に設けられ、かつ、前記凹溝は前記第１円筒部の外周面に設けられるとともに、
前記凸部は、前記第２円筒部の端面であって前記凹溝と当該第２円筒部の径方向に並ぶ位置に設けられ、かつ、
前記穴は、前記リング部材の端面であって前記リブと当該リング部材の径方向に並ぶ位置に設けられていることを特徴とする請求項４記載の回転操作ノブ。
【請求項６】
機器本体と、
前記機器本体に設けられて回転操作される回転操作ノブと、を備えた電子機器において、
前記回転操作ノブとして、請求項１乃至請求項５のうちいずれか一項に記載の回転操作ノブを備えたことを特徴とする電子機器。
【発明の詳細な説明】
【技術分野】
【０００１】
本発明は、例えば、オーディオ装置などの電子機器に設けられて回転操作される回転操作ノブ及び当該回転操作ノブを備えた電子機器に関する。
【背景技術】
【０００２】
例えば、移動体としての自動車のインストルメントパネル（以下インパネと呼ぶ）には、例えば、ＭＤ（Mini disc）プレーヤやＡＭ／ＦＭチューナなどを備えたカーオーディオ装置が搭載される。この種のカーオーディオ装置は、箱状に形成されかつ前述したプレーヤやチューナを収容する機器本体と、この機器本体の前面に設けられた操作部とを備えている。
【０００３】
操作部は、前述したＭＤプレーヤやＡＭ／ＦＭチューナを動作させるためや動作状況を変更するために用いられる。操作部は、前述したＭＤプレーヤやＡＭ／ＦＭチューナが出力する音声情報の強弱（音量調節）を行うためや、ＡＭ／ＦＭチューナの選局を行うための回転操作ノブ（例えば、特許文献１参照）を備えている。
【０００４】
特許文献１などに示された回転操作ノブ（ダイアルボタン）は、硬質な合成樹脂で構成されかつ前記機器本体に設けられたロータリースイッチの回転軸に取り付けられるノブ本体と、ゴムなどの柔軟性を有する材料で構成されかつ前記ノブ本体の外周面に取り付けられて滑り止めとして用いられるリング部材と、を備えている。
【０００５】
前述した特許文献１に示された回転操作ノブ（ダイアルボタン）は、前述したノブ本体とリング部材とを別体に構成した際に、当該リング部材の縁が捲れることを防止するために、二色成型技術を用いて、ノブ本体とリング部材とを一体に形成している。
【先行技術文献】
【特許文献】
【０００６】
【特許文献１】特開２００７−１０９６０１号公報
【発明の概要】
【発明が解決しようとする課題】
【０００７】
前述した特許文献１に示された回転操作ノブ（ダイアルボタン）では、二色成型技術を用いるために、成型に用いられる金型のコストが高騰して、当該回転操作ノブ（ダイアルボタン）自体のコストも高騰する傾向であった。また、一体に形成しているため、ノブ本体だけ塗装等を行なおうとした場合には、リング部材をマスキング処理する必要があり、歩留まり低下及び部品コストの高騰する傾向であった。
【０００８】
上記した問題点を鑑みてなされた本発明の目的の一例は、柔軟性を有する材料で構成されたリング部材の捲れを防止することができる低コストな回転操作ノブ及び当該回転操作ノブを備えた電子機器を提供することにある。
【課題を解決するための手段】
【０００９】
前記課題を解決し目的を達成するために、請求項１に記載の本発明の回転操作ノブは、硬質な材料で構成されかつロータリースイッチの回転軸に取り付けられる被取付部と、前記被取付部に連なりかつ当該被取付部を収容した第１円筒部と、前記第１円筒部に連なりかつ当該第１円筒部よりも大径な第２円筒部とを備えたノブ本体と、柔軟性を有する材料で構成されかつ前記第１円筒部の外周に取り付けられるリング部材と、を備えた回転操作ノブにおいて、前記リング部材の端面と、この端面が重なる前記第２円筒部の端面とのうち一方に他方に向かって凸の凸部が設けられ、かつ他方に前記凸部が侵入する穴が設けられていることを特徴としている。
【図面の簡単な説明】
【００１０】
【図１】本発明の一実施例にかかる回転操作ノブを備えたカーオーディオの外観を示す斜視図である。
【図２】図１に示された回転操作ノブの斜視図である。
【図３】図２中のＩＩＩ−ＩＩＩ線に沿う断面図である。
【図４】図２に示された回転操作ノブの分解斜視図である。
【図５】図４に示された回転操作ノブの背面側からみた分解斜視図である。
【図６】（ａ）は図２に示された回転操作ノブのリング部材の端面の一部を示す平面図であり、（ｂ）は図６（ａ）中のＶＩｂ−ＶＩｂ線に沿う断面図である。
【図７】（ａ）は図２に示された回転操作ノブのノブ本体の端面の一部を示す平面図であり、（ｂ）は図７（ａ）中のＶＩＩｂ−ＶＩＩｂ線に沿う断面図である。
【発明を実施するための形態】
【００１１】
この発明の回転操作ノブは、リング部材の端面とこの端面が重なる第２円筒部の端面とのうち一方に凸部が設けられかつ他方に凸部が侵入する穴が設けられているので、柔軟性を有する材料で構成されたリング部材の端面が第２円筒部の端面上から捲れることを防止できる。また、リング部材の端面とノブ本体の第２円筒部の端面とのうち一方に凸部を設け他方に凸部が侵入する穴を設けることで、リング部材の捲れを防止できるので、硬質な材料で構成されたノブ本体と柔軟性を有する材料で構成されたリング部材とを二色成型技術を用いて一体に構成する必要がない。このために、回転操作ノブを構成する部品を成型する際に用いられる金型として、低コストの金型を用いることができるとともに、ノブ本体の成形後の２次加工（塗装等）の自由度を維持しつつ回転操作ノブ自体のコストが高騰することを防止できる。よって、柔軟性を有する材料で構成されたリング部材の捲れを防止することができる低コストな回転操作ノブを提供することができる。
【００１２】
また、この発明の回転操作ノブは、凸部と穴を周方向に間隔をあけて複数設けてもよい。この場合、全周に亘りリング部材の捲れを防止することができる。
【００１３】
さらに、リング部材の内周面と第１円筒部の外周面とのうち一方にリブを設け他方に凹溝を設けてもよい。この場合、リング部材の捲れを防止できることにくわえ、当該リング部材が第１円筒部の外周面上を滑ることを防止でき、ノブ本体とリング部材とが周方向に位置ずれすることを防止でき、確実にロータリースイッチを操作することができる。
【００１４】
また、リブと凹溝を周方向に間隔をあけて複数設けてもよい。この場合、全周に亘りリング部材が第１円筒部に対して周方向に位置ずれすることを防止できる。
【００１５】
凸部を凹溝と径方向に並ぶ位置に設け、穴をリブと径方向に並ぶ位置に設けてもよい。この場合、リング部材のリブが設けられた厚肉の部分に穴を設けているので、当該穴を設けても、この穴からリング部材が破断するなどして破損することを防止できる。
【００１６】
前述した回転操作ノブを備えた電子機器としても良い。この場合、柔軟性を有する材料で構成されたリング部材の捲れを防止することができる低コストな回転操作ノブを備えた電子機器を提供することができる。
【実施例】
【００１７】
以下、本発明の一実施例にかかる回転操作ノブ及び電子機器を、図１ないし図７を参照して説明する。回転操作ノブ１は、例えば、図１に示す電子機器としてのカーオーディオ２に用いられる。カーオーディオ２は、例えば、移動体としての自動車のインストルメントパネル（以下インパネと呼ぶ）に装着される。なお、以下、後述する前面３ａに対して直交する方向を奥行き方向Ｙといい、前面３ａと後述する機器本体３に出し入れされるＭＤの表面との双方と平行な方向を幅方向Ｘといい、これら奥行き方向Ｙと幅方向Ｘとの双方と直交する方向を厚み方向Ｚという。
【００１８】
カーオーディオ２は、図１に示すように、機器本体３と、ＭＤプレーヤと、ＡＭ／ＦＭチューナと、表示部４と、操作部５とを備えている。
【００１９】
機器本体３は、箱状に形成されかつ前述したインパネに取り付けられる。機器本体３の図１中手前側に位置する一つの前面３ａ（以下、前面と呼ぶ）には、機器本体３の内側に記録媒体としてのＭＤ（Mini disc）を挿入したり、機器本体３内に収容されたＭＤを排出するための挿入口６が開口している。挿入口６の平面形状は、矩形状に形成されている。挿入口６の長手方向は、カーオーディオ２の幅方向Ｘに沿っている。挿入口６は、カーオーディオ２の厚み方向Ｚに沿った幅がＭＤの厚みより大きくかつカーオーディオ２の幅方向Ｘに沿った幅がＭＤの幅より大きく形成されている。
【００２０】
ＭＤプレーヤは、機器本体３内に収容されており、機器本体３に挿入されたＭＤの情報を読み出して、音声として出力する。ＡＭ／ＦＭチューナは、機器本体３内に収容されており、ＡＭ／ＦＭ放送電波を受信してその受信した情報を音声として出力する。これらのＭＤプレーヤ及びＡＭ／ＦＭチューナは、操作部５に設けられた後述する押圧スイッチ８や回転操作ノブ１等を使用者が操作することによって動作する。
【００２１】
表示部４は、前述した前面３ａに取り付けられた蛍光表示管などからなる情報を表示する表示パネル７を備えている。表示部４は、表示パネル７に再生中のＭＤのプログラムやＡＭ／ＦＭチューナが受信中の放送局名などの情報を表示する。
【００２２】
操作部５は、複数の押圧スイッチ８と、二つの回転操作ノブ１を備えている。押圧スイッチ８は、機器本体３の幅方向Ｘに並べられた格好で、前面３ａに取り付けられている。押圧スイッチ８は、機器本体３内に設けられたスイッチに取り付けられかつ前面３ａに奥行き方向Ｙにスライド自在に支持されている。押圧スイッチ８は、奥行き方向Ｙに押圧されることで、スイッチがオンオフされる。
【００２３】
回転操作ノブ１は、前面３ａの幅方向Ｘの両端に取り付けられている。回転操作ノブ１は、図２ないし図５に示すように、機器本体３内に収容されたロータリースイッチ１０（図３中に二点鎖線で示す）の回転軸１１に取り付けられるノブ本体１２と、リング部材１３と、蓋部材１４とを備えている。
【００２４】
ノブ本体１２は、硬質な合成樹脂（材料）で構成され（例えばＡＢＳ等の熱可塑性樹脂で形成され）、被取付部としての小径筒部１５と、円板部１６と、第１円筒部１７と、第２円筒部１８と、複数の凸部１９（図３に示す）とを一体に備えている。小径筒部１５は、円筒状に形成されかつロータリースイッチ１０の回転軸１１の外周に嵌合して、当該回転軸１１に取り付けられる。円板部１６は、円板状に形成されかつ小径筒部１５の一端がその中央から立設している。
【００２５】
第１円筒部１７は、円板部１６の外縁から機器本体３の前面３ａに向かって立設している。このため、第１円筒部１７は、円板部１６を介して小径筒部１５に連なって、小径筒部１５を収容している。第１円筒部１７の外周面１７ａには、当該外周面１７ａから凹でかつ当該第１円筒部１７の軸芯方向に延在した凹溝２０が設けられている。凹溝２０は、幅と深さが第１円筒部１７の軸芯に沿って一定に形成されている。また、凹溝２０は、第１円筒部１７の周方向に互いに間隔をあけて等間隔に配置されている。
【００２６】
第２円筒部１８は、第１円筒部１７よりも外径が大きく形成されかつ当該第１円筒部１７の前面３ａ寄りの端から更に機器本体３の前面３ａに向かって立設している。小径筒部１５と円板部１６と第１円筒部１７と第２円筒部１８とは、互いに同軸に配置されている。また、第２円筒部１８の外径が第１円筒部１７の外径よりも大きいので、第２円筒部１８の第１円筒部１７寄りの端面１８ａは、第１円筒部１７の外周面１７ａから当該第１円筒部１７の外周方向に突出している。
【００２７】
凸部１９は、図７（ａ）及び図７（ｂ）に示すように、第２円筒部１８の端面１８ａから凸の円柱状に形成されている。また、凸部１９は、端面１８ａにおいて、第２円筒部１８の周方向に互いに間隔をあけて等間隔に配置されている。凸部１９は、前述した凹溝２０と、第１及び第２円筒部１７，１８の径方向に並ぶ位置に配置されている。
【００２８】
リング部材１３は、滑り止めとして用いられるためにゴムなどの柔軟性を有する材料で構成され、かつ円板状の円板部２１と、円環状のリング本体２２と、複数のリブ２３とを一体に備えている。円板部２１の外径は、ノブ本体１２の円板部１６及び第１円筒部１７の外径と略等しく形成されている。リング本体２２は、円板部２１の外縁から立設し、かつその内径が第１円筒部１７の外径と略等しく形成され、外径が第２円筒部１８の外径と略等しく形成されている。
【００２９】
リブ２３は、リング本体２２の内周面２２ａ（リング部材１３の内周面に相当）から凸に形成されかつ当該リング本体２２の軸芯に沿って直線状に延在している。リブ２３は、その幅と厚みがリング本体２２の軸芯に沿って一定に形成されている。リブ２３は、リング部材１３の周方向に互いに間隔をあけて等間隔に配置されている。
【００３０】
前述したリング部材１３は、円板部２１が円板部１６に重ねられかつリング本体２２が第１円筒部１７の外周に取り付けられて、ノブ本体１２と同軸に配置されて、当該ノブ本体１２に取り付けられる。リング部材１３が第１円筒部１７の外周に取り付けられると、リブ２３が凹溝２０内に侵入するとともに、当該リング本体２２の端面２２ｂ（リング部材１３の端面に相当）が第２円筒部１８の端面１８ａに重なる。リング本体２２の端面２２ｂには、図６（ａ）及び図６（ｂ）に示すように、複数の穴２４が設けられている。穴２４は、リング部材１３のリング本体２２の周方向に互いに間隔をあけて等間隔に配置されている。穴２４は、リブ２３とリング部材１３のリング本体２２の径方向に並ぶ位置に配置されている。穴２４は、リング部材１３がノブ本体１２に取り付けられると、凸部１９が内側に侵入する。
【００３１】
また、ノブ本体１２の円板部１６とリング部材１３の円板部２１とには、互いに連通する孔２５，２６が複数設けられている。
【００３２】
蓋部材１４は、硬質な合成樹脂（材料）で構成され、円板状の蓋本体２７と、この蓋本体２７から立設した複数の突出片２８とを一体に備えている。蓋部材１４は、蓋本体２７がリング部材１３の円板部２１に重ねられ、突出片２８が貫通孔２５，２６内に通された後、当該突出片２８の円柱状の先端部が溶着されて、ノブ本体１２及びリング部材１３に取り付けられる。この突出片２８の円柱状の先端部は、リング部材１３の円板部２１とノブ本体１２の円板部１６を貫通して先端がノブ本体１２の内側へ突出する長さとなっており、先端部をノブ本体１２の内側から溶着することが可能となっている。
【００３３】
前述した構成の回転操作ノブ１は、以下のように組み立てられる。まず、ノブ本体１２の円板部１６にリング部材１３の円板部２１を重ね、第１円筒部１７の外周にリング部材１３のリング本体２２を取り付ける。この際、勿論、リブ２３を凹溝２０内に挿入し、穴２４内に凸部１９を挿入する。そして、蓋部材１４の突出片２８を貫通孔２５，２６内に挿入して、当該蓋部材１４の蓋本体２７をリング部材１３の円板部２１に重ねる。その後、突出片２８の円柱状の先端部を溶着して、ノブ本体１２とリング部材１３と蓋部材１４とを互いに固定して、回転操作ノブ１を組み立てる。こうして組み立てられた回転操作ノブ１は、小径筒部１５がロータリースイッチ１０の回転軸１１の外周に嵌合するなどして、当該ロータリースイッチ１０にとり付けられる。そして、回転操作ノブ１は、その軸芯周りに回転されることで、前述したロータリースイッチ１０の回転軸１１を回転させて、前述したＡＭ／ＦＭチューナの選局や出力する音声情報の強弱（音量調節）を行うために用いられる。
【００３４】
本実施例によれば、第２円筒部１８の端面１８ａに凸部１９が設けられ、かつリング部材１３の端面２２ｂに凸部１９が侵入する穴２４が設けられているので、柔軟性を有する材料で構成されたリング部材１３の端面２２ｂが第２円筒部１８の端面１８ａ上から捲れることを防止できる。
【００３５】
また、リング部材１３の端面２２ｂに穴２４を設け、ノブ本体１２の第２円筒部１８の端面１８ａに凸部１９を設けることで、リング部材１３の捲れを防止できるので、硬質な材料で構成されたノブ本体１２と柔軟性を有する材料で構成されたリング部材１３とを二色成型技術を用いて一体に構成する必要がない。このために、回転操作ノブ１を構成する部品を成型する際に用いられる金型として、低コストの金型を用いることができるとともに、ノブ本体の成形後の２次加工（塗装等）の自由度を維持しつつ回転操作ノブ１自体のコストが高騰することを防止できる。よって、柔軟性を有する材料で構成されたリング部材１３の捲れを防止することができる低コストな回転操作ノブ１を提供することができる。
【００３６】
また、凸部１９と穴２４を周方向に間隔をあけて複数設けている。このために、全周に亘りリング部材１３の捲れを防止することができる。
【００３７】
さらに、リング部材１３の内周面２２ａにリブ２３を設け、第１円筒部１７の外周面１７ａに凹溝２０を設けている。このために、リング部材１３の捲れを防止できることにくわえ、当該リング部材１３が第１円筒部１７の外周面１７ａ上を滑ることを防止でき、ノブ本体１２とリング部材１３とが周方向に位置ずれすることを防止でき、回転操作ノブ１を回転させることで、確実にロータリースイッチ１０を操作することができる。
【００３８】
また、リブ２３と凹溝２０を周方向に間隔をあけて複数設けている。このために、全周に亘りリング部材１３が第１円筒部１７に対して周方向に位置ずれすることを防止できる。
【００３９】
凸部１９を凹溝２０と径方向に並ぶ位置に設け、穴２４をリブ２３と径方向に並ぶ位置に設けている。このために、リング部材１３のリブ２３が設けられた厚肉の部分に穴２４を設けているので、当該穴２４を設けても、この穴２４からリング部材１３が破断するなどして破損することを防止できる。
【００４０】
カーオーディオ２は、前述した回転操作ノブ１を備えているので、柔軟性を有する材料で構成されたリング部材１３の捲れを防止することができる低コストな回転操作ノブ１を備えることができる。即ち、カーオーディオ２自体のコストの高騰を防止することができる。
【００４１】
なお、前述した実施例では、凸部１９を第２円筒部１８の端面１８ａに設け、穴２４をリング部材１３のリング本体２２の端面２２ｂに設けたが、本発明では、凸部１９をリング部材１３のリング本体２２の端面２２ｂに設け、穴２４を第２円筒部１８の端面１８ａに設けてもよい。また、本発明では、凹溝２０をリング部材１３のリング本体２２の内周面２２ａに設け、第１円筒部１７の外周面１７ａにリブ２３を設けてもよい。さらに、本発明では、スペースに余裕があり強度的に問題がなければ、凸部１９と凹溝２０をノブ本体１２の径方向に並べなくても良く、穴２４とリブ２３をリング部材１３のリング本体２２の径方向に並べなくても良い。
【００４２】
なお、前述した実施例は本発明の代表的な形態を示したに過ぎず、本発明は、実施例に限定されるものではない。即ち、本発明の骨子を逸脱しない範囲で種々変形して実施することができる。
【００４３】
前述した実施例によれば、以下の回転操作ノブ１が得られる。
【００４４】
（付記）  硬質な材料で構成されかつロータリースイッチ１０の回転軸１１に取り付けられる被取付部１５と、前記被取付部１５に連なりかつ当該被取付部１５を収容した第１円筒部１７と、前記第１円筒部１７に連なりかつ当該第１円筒部１７よりも大径な第２円筒部１８とを備えたノブ本体１２と、
柔軟性を有する材料で構成されかつ前記第１円筒部１７の外周に取り付けられるリング部材１３と、を備えた回転操作ノブ１において、
前記リング部材１３の端面２２ｂと、この端面２２ｂが重なる前記第２円筒部１８の端面１８ａとのうち一方に他方に向かって凸の凸部１９が設けられ、かつ他方に前記凸部１９が侵入する穴２４が設けられていることを特徴とする回転操作ノブ１。
【００４５】
付記によれば、前記リング部材１３の端面２２ｂと、この端面２２ｂが重なる前記第２円筒部１８の端面１８ａとのうち一方に他方に向かって凸の凸部１９が設けられ、かつ他方に前記凸部１９が侵入する穴２４が設けられているので、柔軟性を有する材料で構成されたリング部材１３の端面２２ｂが第２円筒部１８の端面１８ａ上から捲れることを防止できる。
【００４６】
また、リング部材１３の端面２２ｂとノブ本体１２の第２円筒部１８の端面１８ａとのうちの一方に凸部１９を設け他方に穴２４を設けることで、リング部材１３の捲れを防止できるので、硬質な材料で構成されたノブ本体１２と柔軟性を有する材料で構成されたリング部材１３とを二色成型技術を用いて一体に構成する必要がない。このために、回転操作ノブ１を構成する部品を成型する際に用いられる金型として、低コストの金型を用いることができるとともに、ノブ本体の成形後の２次加工（塗装等）の自由度を維持しつつ回転操作ノブ１自体のコストが高騰することを防止できる。よって、柔軟性を有する材料で構成されたリング部材１３の捲れを防止することができる低コストな回転操作ノブ１を提供することができる。
【符号の説明】
【００４７】
１  回転操作ノブ
２  カーオーディオ（電子機器）
３  機器本体
１０  ロータリースイッチ
１１  回転軸
１２  ノブ本体
１３  リング部材
１５  小径筒部（被取付部）
１７  第１円筒部
１７ａ  外周面
１８  第２円筒部
１８ａ  端面
１９  凸部
２０  凹溝
２２ａ  内周面
２２ｂ  端面
２３  リブ
２４  穴
【図１】
2011090951.tif 000003
【図２】
2011090951.tif 000004
【図３】
2011090951.tif 000005
【図４】
2011090951.tif 000006
【図５】
2011090951.tif 000007
【図６】
2011090951.tif 000008
【図７】
2011090951.tif 000009